(57)【要約】【課題】構造が簡素であって、遊技者に対してよりしっかりとモチーフ画を表示するとともにモチーフ画を保護する遊技盤を提供する。【解決手段】遊技盤１８は、遊技基板５５と、この遊技基板５５の前面に装着される前面パネル５６とから構成されている。遊技基板５５は、遊技領域と非遊技領域とに仕切るとともに発射装置によって打ち出されたパチンコ玉を遊技領域の上部に案内するレール枠５５ａ、前面パネル５６を装着するための凹部５５ｂ、入賞口を介して遊技基板５５の裏側に移動したパチンコ玉を裏側で遊技機本体側に案内する集合樋５５ｃとが透明な樹脂で一体に形成されている。遊技基板５５の裏側には絵柄シート６０がフイルムインサート法によって一体に形成され、絵柄シート６０に形成されたモチーフ画が前面に表示される。【選択図】図４
2008018144.tif 000002
【特許請求の範囲】
【請求項１】
遊技球が入賞する入賞口を有する遊技領域と、前記遊技領域が前面に形成される遊技基板とを備えた遊技機の遊技盤において、
前記遊技領域は透明なカバーが前記遊技基板上のレール枠を介して前記遊技基板と対向して形成され、前記レール枠は前記遊技基板に一体に形成されており、
前記遊技基板を光透過性とし、
前記遊技基板の裏側に、モチーフ画を配置したことを特徴とする遊技機の遊技盤。
【請求項２】
前記遊技基板の裏側に、前記モチーフ画が描かれた絵柄シートを一体に形成したことを特徴とする請求項１記載の遊技機の遊技盤。
【請求項３】
前記遊技領域を流下する遊技球の流下方向を変える複数の障害体が光透過性を有するパネル上に植設されており、
前記遊技基板に、前記障害体が前記遊技領域内に突き出るように前記パネルを装着するための凹部を設けたことを特徴とする請求項１または２記載の遊技機の遊技盤。
【請求項４】
前記障害体を光透過性としたことを特徴とする請求項３記載の遊技機の遊技盤。
【発明の詳細な説明】
【技術分野】
【０００１】
本発明はパチンコ機等の遊技機に取り付けられる遊技盤に関するものである。
【背景技術】
【０００２】
弾球遊技機として、例えばパチンコ機は遊技盤を備え、遊技盤の前面がレール枠を介して例えばガラスなどの透明なカバーと対向してレール枠内に遊技球が流下する遊技領域が形成され、レール枠外に非遊技領域が形成されている。遊技領域内にはパチンコ玉の流下方向を変える釘が設けられ、遊技者は遊技領域内に設けられた入賞口にパチンコ玉を入賞させて遊技を楽しむことができた。
【０００３】
一方、利便性を高めるため遊技盤の低コスト化や組み立ての容易化が課題となっていた。例えば特許文献１記載のパチンコ機では、従来は個別に非遊技領域に取り付けられていた装飾体をレール枠に樹脂で一体に形成し、これにより遊技盤の部品点数を減らして遊技盤の組み立て工程を簡素化している。
【特許文献１】特開２００２−１６５９４０号公報
【発明の開示】
【発明が解決しようとする課題】
【０００４】
ところで、遊技盤は遊技基板とその前面に貼り付けられるセルロイドシートとからなり、セルロイドシートはインク等を用いてモチーフ画が形成された画像形成層がプラスチック製の透明な保護層によって保護されていた。セルロイドシートには、遊技基板に釘を打ち込むための孔やセンター役物等の構造物を遊技基板上に固定するための孔を形成しなければならず、このためにモチーフ画が見難くなることがあった。また、液晶パネルの前面に透明な保護層を設けた遊技盤も既に製品化されているが、遊技盤と遊技機本体とを接続するコネクタが複雑化してしまい、遊技機本体への遊技盤の取付け、取外しに時間を要してしまうことがあった。
【０００５】
本発明は上記の事情に鑑みてなされたものであり、その目的は、構造が簡素であって、遊技者に対してよりしっかりとモチーフ画を表示するとともにモチーフ画を保護する遊技盤を提供することにある。
【課題を解決するための手段】
【０００６】
上記の目的を達成するために、本発明に遊技機の遊技盤では、遊技球が入賞する入賞口を有する遊技領域と、遊技領域が前面に形成される遊技基板とを備えた遊技機の遊技盤において、遊技領域は透明なカバーが遊技基板上のレール枠を介して遊技基板と対向して形成され、レール枠は遊技基板に一体に形成されており、遊技基板を光透過性とし、遊技基板の裏側にモチーフ画を配置したことを特徴とする。
【０００７】
また、遊技基板の裏側にモチーフ画が描かれた絵柄シートを一体に形成したことを特徴とする。
【０００８】
また、遊技領域を流下する遊技球の流下方向を変える複数の障害体が光透過性を有するパネル上に植設されており、遊技基板に、障害体が遊技領域内に突き出るようにパネルを装着するための凹部を設けたことを特徴とする。
【０００９】
また、障害体を光透過性としたことを特徴とする。
【発明の効果】
【００１０】
本発明の遊技機の遊技盤によれば、遊技球が入賞する入賞口を有する遊技領域と、遊技領域が前面に形成される遊技基板とを備えた遊技機の遊技盤において、遊技領域は透明なカバーが遊技基板上のレール枠を介して遊技基板と対向して形成され、レール枠は遊技基板に一体に形成されており、遊技基板を光透過性とし、遊技基板の裏側にモチーフ画を配置したことにより、光透過性を有する遊技基盤を通して遊技基板の裏側に配置されたモチーフ画が表示されるため、遊技者に対してしっかりモチーフ画を表示するとともにモチーフ画を保護する遊技盤を提供することができる。また、遊技基板の裏側にモチーフ画を配置することで、遊技基板にレール枠を一体に形成することが容易となり、遊技基板にレール枠を一体形成することで、遊技盤の部品点数を減らして構造を簡素にすることができる。
【００１１】
また、遊技基板の裏側にモチーフ画が描かれた絵柄シートを一体に形成したことより、遊技基板によってモチーフ画が保護されるとともに、遊技盤の取り扱いが容易になる。
【００１２】
また、遊技領域を流下する遊技球の流下方向を変える複数の障害体が光透過性を有するパネル上に植設されており、遊技基板に、障害体が遊技領域内に突き出るようにパネルを装着するための凹部を設けたことにより、モチーフ画の表示を妨げることなく障害体を遊技領域内に配置することができる。
【００１３】
また、障害体を光透過性としたことにより、障害体によってモチーフ画の表示が妨げられることを防ぎ、遊技者はよりしっかりとモチーフ画を視認することができる。
【発明を実施するための最良の形態】
【００１４】
パチンコ機の外観斜視図を図１に示す。パチンコ機２の前面には、上扉４及び下扉５からなる２枚の前面扉が遊技機本体３に対して回動自在に設けられている。上扉４は一方の側端部に設けられたヒンジ部８を介して開閉自在に本体基部に取り付けられ、下扉５は一方の側端部に設けられた図示しないヒンジ部を介して開閉自在に遊技機本体３に取り付けられている。上扉４及び下扉５は施錠装置によってロックされる。
【００１５】
遊技機本体３には、各種チャッカ、センター役物などの構造物が設けられた遊技盤１８、センター役物３０などの駆動を制御する制御回路などがユニット化された後述する遊技盤ユニットが着脱自在に取り付けられている。上扉４の中央には開口４ａが設けられ、この開口４ａには透明なカバーであるガラス板７が組み付けられる。ガラス板７と遊技盤１８との間にはパチンコ玉が流下する遊技領域９が形成され、遊技者はガラス板７を通して遊技領域９を視認することができる。
【００１６】
下扉５には、受け皿（図示省略）、発射操作装置１４、パチンコ玉を払い出す払出口等が設けられている。受け皿には遊技を開始する際にパチンコ玉が流入する他、遊技領域９を流下するパチンコ玉が遊技盤１８に設けられた入賞口に入賞することに応じてパチンコ玉が払い出される。発射操作装置１４は、パチンコ玉を遊技領域９に打ち出す際に操作され、発射操作装置に設けられた回動部材の位置に応じてパチンコ玉の打ち出しの強さが変化する。
【００１７】
遊技盤１８上には、パチンコ玉の流下方向を変える障害体である障害ピン（図４参照）、スタートチャッカ２３、入賞チャッカ２４、アタッカ２６、センター役物３０等が設けられている。遊技盤１８上には障害ピンが形成されており、この障害ピンに当たって移動方向を変えながらながらパチンコ玉は遊技領域９を流下する。スタートチャッカ２３には、例えば電動チューリップと呼ばれる開閉式の可動装置が設けられ、これによってパチンコ玉が入賞しやすい状態と入賞しにくい状態とが切り替えられるようになっている。なお、遊技領域９に打ち出されたパチンコ玉が入賞チャッカ２４やアタッカ２６等のいずれにも入賞しない場合はアウト口３３によって回収される。
【００１８】
センター役物３０に備えられた表示画面３５は、例えば、横に３つの図柄を並べて表示して電子抽選の結果を告知する。始動入賞口にパチンコ玉が入賞したときに開始される電子抽選に応じて表示画面３５に図柄を変動表示した後に、所定の図柄を停止表示することで遊技者に対して抽選結果が告知される。図柄は、例えば１〜９までの数字であり、図柄が縦に流れる変動表示が行われた後、電子抽選に当選した場合には同じ数字が３つ順次停止表示される。また、表示画面３５に表示される図柄の表示態様には、当たりに対応した図柄が停止表示される前段階で、３つの図柄のうち２つが同じ図柄で停止表示され残る１つが変動表示される、いわゆるリーチ表示が設定されている。
【００１９】
センター役物３０には４つの保留表示部が備えられており、保留表示部は、表示画面３５において図柄が変動表示されている間にスタートチャッカ２３に設けられた始動入賞口にパチンコ玉が入賞するごとに１つ点灯する。この入賞は、電子抽選を行って図柄を変動させる権利として持ち越され、この権利の持ち越しは上限が４つまでと予め定められている。この権利を消化するごとに保留表示部は１つずつ消灯する。
【００２０】
スタートチャッカ２３に設けられた始動入賞口（図示省略）にパチンコ玉が入賞すると予め決められた個数のパチンコ玉が払出口から払い出されて受け皿に流入する。また、始動入賞口にパチンコ玉が入賞すると電子抽選が開始され、乱数の抽出、抽出された乱数が当たりとなる乱数であるか否かの判定が行われ、判定の結果は表示画面３５に表示される。
【００２１】
スタートチャッカ２３の下方には２つの入賞チャッカ２４が設けられている。入賞チャッカ２４には通常入賞口が設けられ、通常入賞口にパチンコ玉が入賞すると、所定の個数のパチンコ玉が払出口を介して受け皿に払い出されるようになっている。
【００２２】
アタッカ２６には大入賞口及び大入賞口を開閉する可動扉が備えられ、表示画面３５によって当たりが告知されたときに可動扉が開放され、所定期間開放された場合や一定個数のパチンコ玉が入賞した場合に閉じる。大入賞口にパチンコ玉が入賞すると、これに応じて予め決められた個数のパチンコ玉が受け皿に払い出される。大入賞口の一時的な開放が一定回数繰り返されると、当たりの告知に伴うアタッカ２６の開放が終了するようになっている。
【００２３】
遊技機本体３には、中枠３６、後述する遊技盤ユニット、上扉４などからなる中枠ユニット３８が着脱自在に取り付けられる。中枠３６はマグネシウム合金によって枠状に形成されており、枠内に遊技盤ユニットが保持されている。
【００２４】
遊技機本体３は、外枠４０、内枠４１等から構成され、遊技盤ユニットは、中枠３６に対し着脱自在とされる、あるいは内枠４１から中枠３６とともに着脱自在とされる。外枠４０は遊技場に固定され、内枠４１は外枠４０の内側に嵌め込まれる。内枠４１はプラスチックで形成されており、その内側には中枠ユニット３８を固定するための開口４１ａが形成され、この開口４１ａの周囲にはスピーカ４３などが配置されている。
【００２５】
内枠４１の側端部には上扉４を開放するための専用のキーが差し込まれるキーシリンダ４２が配置され、このキーシリンダ４２は施錠装置に設けられている。内枠４１からは前方に向かって係止爪４５が突出しており、この係止爪４５が中枠３６を介して上扉４に掛かり、上扉４が閉鎖される。
【００２６】
図２に示すように、遊技盤ユニット５０の一方の側端部には、遊技盤ユニット５０を中枠３６に固定するための固定具６７が挿通される挿通孔６０が設けられ、挿通孔６０は遊技盤ユニット５０の上部及び下部に形成されている。中枠３６には挿通孔６０の位置に対応して固定具６７が設けられ、固定具６７の先端は回動操作されるつまみ６７ａを有し、Ｔ字形状をしている。つまみ６７ａは挿通孔６０よりも一回り小さく形成され、挿通孔６０を通って前面に突出したつまみ６７ａを９０°回動させると、挿通孔６０の周囲面とつまみ６７ａとが係合する。このように固定具６７のつまみ６７ａが挿通孔６０の周囲に係止し、これによって遊技盤ユニット５０が中枠３６に固定される。
【００２７】
図３に示すように、遊技盤ユニット５０は、本発明の遊技盤１８、裏機構体５３によって構成されている。裏機構体５３には、表示画面３５とそのコントローラ等が収納された収納箱、入賞の検知及び賞球の払い出し等を管理する制御回路装置等が収納された制御基板収納箱などが設けられている。裏機構体５３は遊技盤１８の裏側に取り付けられる。
【００２８】
遊技盤１８の裏側には、パチンコ玉を遊技盤１８の裏側で遊技機本体３側に案内する集合樋５５ｃが設けられている。遊技盤１８の表側には、センター役物３０、スルーチャッカ、スタートチャッカ２３、入賞チャッカ２４等が配置された遊技領域９、遊技領域９とそれ以外の非遊技領域とを仕切るレール枠５５ａが設けられ、非遊技領域には証紙台や装飾等が配置されている。
【００２９】
図４に示すように、遊技盤１８は、遊技基板５５、この遊技基板５５の前面に着脱自在に装着される前面パネル（パネル）５６とから構成されている。遊技基板５５は、パチンコ玉が流下する遊技領域９と非遊技領域とを仕切り、かつ遊技機本体３に備えられた発射装置から発射されたパチンコ玉を遊技領域９の上部に案内するレール枠５５ａと、前面パネル５６を装着するための凹部５５ｂと、前面パネル５６に形成された各種入賞口５６ｂ、及び開口５５ｄを介して遊技基板５５の裏側に移動したパチンコ玉を遊技基板５５の裏側で遊技機本体３側に案内する集合樋５５ｃとが一体に形成されている。遊技基板５５は、例えばアクリル樹脂などの透明な樹脂によって形成され、強度が保持されている。
【００３０】
前面パネル５６は、透明な樹脂によって形成され、一方の面にはパチンコ玉の流下方向を変える複数の障害ピン５６ａが形成されている。遊技基板５５の表側に形成された凹部５５ｂは裏側に向かって凹んでおり、前面パネル５６は例えば透明なプラスチック製のネジによって凹部５５ｂにネジ止めされる。遊技盤ユニット５０が遊技機本体３に取り付けられてその前面がガラス板７によって覆われたとき、前面パネル５６の前面、レール枠５５ａ、及びガラス板７とによって遊技領域９が形成される。
【００３１】
遊技基板５５の裏側には、絵柄シート６０が一体に形成されている。これにより、絵柄シート６０が有する絵柄が透明な遊技基板５５を介して表側に表示されるようになる。絵柄シート６０は、例えば、透明な保護層、及びパチンコ機の機種名に合わせたモチーフ画が印刷された印刷層とを有し、遊技基板５５の裏側に接着されている。なお、保護層の材質としては、セルロイドや塩化ビニル、アクリル、ポリカーボネート等が用いられる。
【００３２】
遊技盤１８はフイルムインサート法によって製造される。フイルムインサート法では、例えば、第１、第２の金型が用いられ、予め製造された絵柄シート６０が第１の金型にセットされる。このとき、絵柄シート６０は、適宜切り込みが形成される、あるいは切り分けられており、第１の金型に絵柄シート６０が配置された後に第２の金型が第１の金型に合わせられる。第１の金型と第２の金型との間には遊技基板５５の形状に合わせてスペースが形成されており、プラスチック材料がスペース内に射出されて絵柄シート６０が一体形成された遊技基板５５が形成される。このように遊技基板５５の裏側に絵柄シート６０を形成したことで、モチーフ画を確実に保護することができる。また、レール枠５５ａが遊技基板５５に一体形成され、遊技盤１８の部品点数が減る。
【００３３】
次に上記構成の作用について説明する。遊技盤１８は、遊技基板５５と、この遊技基板５５の前面に装着される前面パネル５６とから構成され、遊技基板５５の裏側に裏機構体５３が取り付けられて遊技盤ユニット５０が構成される。遊技盤ユニット５０は中枠３６を介して遊技機本体３に着脱自在に取り付けられる。
【００３４】
遊技基板５５には、レール枠５５ａ、前面パネル５６の凹部５５ｂ、集合樋５５ｃとが一体に形成されている。前面パネル５６は凹部５５ｂに遊技基板５５の裏側からネジ止めされ、前面パネル５６に一体形成された障害ピン５６ａは遊技領域９内に突き出る。これにより遊技領域９内を流下するパチンコ玉の流下方向が変えられ、各種入賞口に入賞して遊技基板５５の裏側に移動したパチンコ玉は集合樋５５ｃによって遊技機本体３側に案内される。
【００３５】
遊技基板５５の裏側には絵柄シート６０が一体に形成され、絵柄シート６０に形成されたモチーフ画が前面に表示される。障害ピン５６ａは透明な樹脂で前面パネル５６に一体形成されているため、モチーフ画の表示を妨げることはない。また、前面パネル５６及び遊技基板５５を透明な樹脂で形成し、遊技基板５５の裏側に絵柄シートを一体形成したことで、釘用の孔などを絵柄シートに形成する工程等を省くことができ、より欠損部分が少ないモチーフ画を表示することができる。
【００３６】
なお、上記の実施形態ではレールと、凹部５５ｂと、集合樋５５ｃとを一体形成した遊技基板５５を例示したが、集合樋は遊技基板５５から省いてもよい。例えば、集合樋を遊技基板の裏側に取り付けるようにすることで、遊技基板の形状をよりシンプルにすることが可能となり、フイルムインサート時に絵柄シートに形成する切り込み等を減らすことが期待できる。
【００３７】
また、上記の第１実施形態では遊技基板に遊技基板の裏側に絵柄シートを一体形成したが、本発明はこれに限らない。例えば、遊技基板の裏側に絵柄シートを貼り付けるようにしてもよい。図５に示すように、遊技盤６８は遊技基板７０と前面パネル５６とから構成され、遊技基板７０は、レール７０ａ、凹部７０ｂ、集合樋７０ｃとが透明な樹脂で一体に形成されている。透明な遊技基板７０の裏面にはモチーフ画が形成された絵柄シート７２が貼り付けられるようになっており、絵柄シート７２は一枚のシート状に形成されている。絵柄シート７２は、例えば、接着層７２ａ、モチーフ画が印刷された印刷層７２ｂ等から構成されている。絵柄シート７２は、遊技基板７０の裏側に貼り付けられるときに、適宜切り込み等が形成される。接着層７２ａが遊技基板７０の裏側に接着されると、モチーフ画が固定され、遊技基板７０の前側にモチーフ画が表示される。このように絵柄シート７２を遊技基板７０の裏側から貼り付けるようにすることで、モチーフ画の交換時の手間を軽減することが期待できる。
【００３８】
また、上記の実施形態では、遊技基板５５は透明であったが、半透明でもよい。また、モチーフ画は遊技機基板の裏側に直接描いてもよい。
【００３９】
上記の実施形態では、遊技機としてパチンコ機を例示したが、遊技機はこれに限らず、雀球マシンやアレンジボールマシン等に実施してもよい。
【図面の簡単な説明】
【００４０】
【図１】本発明のパチンコ機を前側から観察した分解斜視図である。
【図２】遊技盤ユニットを前側から観察した斜視図である。
【図３】遊技盤ユニットを遊技盤と裏機構体とに分解した分解斜視図である。
【図４】入賞チャッカを通り、かつ前面パネルに垂直な平面で遊技盤を縦に切断した断面図である。
【図５】遊技基板の裏側から絵柄シートが貼り付けられる遊技盤を前面パネルと垂直な平面で縦に切断した断面図である。
【符号の説明】
【００４１】
２  パチンコ機（弾球遊技機）
３  遊技機本体
９  遊技領域
１８  遊技盤
５０  遊技盤ユニット
５５  遊技基板
５５ａ  レール枠
５５ｂ  凹部
５５ｃ  集合樋
５６  前面パネル（パネル）
５６ａ  障害ピン（障害体）
【図１】
2008018144.tif 000003
【図２】
2008018144.tif 000004
【図３】
2008018144.tif 000005
【図４】
2008018144.tif 000006
【図５】
2008018144.tif 000007